(57)【要約】【課題】保護パッチを家畜の乳頭に容易且つ迅速に貼着することを可能にする貼着補助具を提供し、そしてまた貼着補助具を使用して家畜の乳頭に保護パッチを容易且つ迅速に貼着する方法を提供する。【解決手段】家畜の乳頭口（６６）を保護するために家畜の乳頭（６４）に保護パッチ（５４）を貼着するための貼着補助具（２）は、基端部（１０ａ、１０ｂ）が相互に旋回自在に連結されている一対の操作片（４ａ、４ｂ）と、一対の操作片（４ａ、４ｂ）の自由端部（１２ａ、１２ｂ）間に配設された弾性部材（６）とを具備する。【選択図】図１
2020130012.tif 000002
【特許請求の範囲】
【請求項１】
家畜の乳頭口を保護するために家畜の乳頭に保護パッチを貼着するための貼着補助具にして、
基端部が相互に旋回自在に連結されている一対の操作片と、該一対の操作片の自由端部間に配設された弾性部材とを具備する、ことを特徴とする貼着補助具。
【請求項２】
該一対の操作片の開旋回角度を所定角度に制限する開旋回角度制限手段が該一対の操作片に付設されており、該弾性部材は中間部が該一対の操作片の該基端部側に没入した凹形状に維持される、請求項１記載の貼着補助具。
【請求項３】
該弾性部材は、片端が該一対の操作片の片方の該自由端部に着脱自在に接続され他端が該一対の操作片の他方の該自由端部に着脱自在に接続されている、請求項１又は２記載の貼着補助具。
【請求項４】
該一対の操作片の各々の該自由端部は保護パッチの幅に対応した所定幅を有し、該弾性部材は該一対の操作片の各々の幅方向片側間を延在する片側細長帯状片と該一対の操作片の各々の幅方向他側間を延在する他側細長帯状片とを含む、請求項１から３までのいずれかに記載の貼着補助具。
【請求項５】
該弾性部材は該片側細長帯状片の長手方向中間部と該他側細長帯状片の長手方向中間部とを接続している接続細長帯状片を含み、一体に形成されている、請求項４記載の貼着補助具。
【請求項６】
該弾性部材の該接続細長片の片端は該片側細長帯状片を超えて幅方向に延出し且つ他端は該他側細長帯状片を超えて幅方向に延出しており、該接続細長片の該片端及び該他端には、該弾性部材上に載置される保護パッチの幅方向変位を阻止する変位阻止突起が形成されている、請求項５記載の貼着補助具。
【請求項７】
該弾性部材の該片側細長帯状片の両端及び該他側細長帯状片の両端には、幅方向両側に突出する被係止突起が形成されており、該一対の操作片の各々の該自由端部には該被係止突起の各々を着脱自在に受け入れる係止凹部が形成されている、請求項４から６までのいずれかに記載の貼着補助具。
【請求項８】
該被係止突起各々の幅方向中央部には長手方向に突出する付加突起が形成されており、該係止凹部の各々の幅方向中央部には該付加突起が挿通される孔が形成されている、請求項７記載の貼着補助具。
【請求項９】
該一対の操作片が相互に幅方向に変位するのを阻止する幅方向制限手段が該一対の操作片に付設されている、請求項１から８までのいずれかに記載の貼着補助具。
【請求項１０】
該一対の操作片の各々の該自由端部の幅方向中央部には、長手方向に延在する逆円錐台筒形状の凹部が形成されている、請求項１から９までのいずれかに記載の貼着補助具。
【請求項１１】
該一対の操作片の各々の自由端部の外面には幅方向中心を長手方向に延在する突条が配設されている、請求項１から１０までのいずれかに記載の貼着補助具。
【請求項１２】
該一対の操作片の各々の該自由端部の内面幅方向両側には、該弾性部材上に載置される保護パッチが幅方向に変位するのを阻止すると共に該自由端部から突出するのを阻止する拘束突起が記載されている、請求項１から１１までのいずれか記載の貼着補助具。
【請求項１３】
該一対の操作片の各々は合成樹脂から形成されている、請求項１から１２までのいずれかに記載の貼着補助具。
【請求項１４】
該一対の操作片の各々は透明乃至半透明である、請求項１３記載の貼着補助具。
【請求項１５】
弾性部材は合成樹脂シートから形成されている、請求項１から１４までのいずれかに記載の貼着補助具。
【請求項１６】
弾性シート、該弾性シートの片面に積層された粘着層、及び該弾性シートの他面に剥離自在に積層された保護シートを含む、家畜の乳頭口を保護するための保護パッチを家畜の乳頭に貼着する保護パッチ貼着方法にして、
請求項１から１５までのいずれかに記載の貼着補助具を準備する準備工程、
該貼着補助具の該弾性部材上に、該粘着層を上方に向けた状態で該保護パッチを載置する載置工程と、
該弾性部材上に載置されている該保護パッチの中央部を家畜の乳頭の先端に押し付け、次いで、該弾性部材の弾性偏倚作用に抗して該操作片の各々を該自由端が相互に接近する方向に旋回せしめ、該保護パッチを少なくとも部分的に家畜の乳頭の周囲に押し付けて貼着する貼着工程と、
該弾性部材の弾性偏倚作用によって該操作片の各々を該自由端が相互に離隔する方向に旋回せしめると共に該貼着補助具を家畜の乳頭に貼着されている該保護パッチから離隔する貼着補助具離隔工程と、
家畜の乳頭に貼着されている該保護パッチの該保護シートを該弾性シートから剥離する保護シート剥離工程と、
を含むことを特徴とする保護パッチ貼着方法。
【発明の詳細な説明】
【技術分野】
【０００１】
本発明は、家畜の乳頭口を保護するために家畜の乳頭に保護パッチを貼着するための貼着補助具、及びかかる貼着補助具を使用して家畜の乳頭に保護パッチを貼着する方法に関する。
【背景技術】
【０００２】
下記特許文献１には、家畜が乳房炎に罹患するのを予防するために家畜の乳頭における乳頭口を含む領域に貼着する保護パッチが開示されている。かかる保護パッチは、弾性シート、この弾性シートの片面に積層された粘着層及び弾性シートの他面に剥離自在に積層された保護シートを含んでいる。通常、粘着層は剥離紙によって覆われている。かような保護パッチを家畜の乳頭に貼着する一様式においては、最初に剥離紙を半分だけ粘着層から剥離し、次いで露呈された粘着層を乳頭の片側面に貼着し、次に剥離紙を粘着層から完全に剥離して新たに露呈された粘着層を乳頭の他面側に貼着し、しかる後に保護パッチの全体を手で包み込んで乳頭を握って乳頭に保護パッチの全体を貼着し、そして弾性シートから保護シート剥離する。
【先行技術文献】
【特許文献】
【０００３】
【特許文献１】再公表特許ＷＯ２０１７／１５０２０３
【発明の概要】
【発明が解決しようとする課題】
【０００４】
而して、上記のとおりの保護パッチを例えば上述したとおりの様式に従って家畜の乳頭に所要とおりに貼着することは、弾性シートが薄くて著しく柔軟であると共に粘着層の密着性が良好である等に起因して、必ずしも容易ではなく且つ比較的煩雑である。
【０００５】
本発明は、上記事実に鑑みてなされたものであり、その主たる技術的課題は、上記のとおりの保護パッチを家畜の乳頭に容易且つ迅速に貼着することを可能にする、貼着補助具を提供することである。
【０００６】
本発明の他の技術的課題は、貼着補助具を使用して家畜の乳頭に上記のとおりの保護パッチを容易且つ迅速に貼着する方法を提供することである。
【課題を解決するための手段】
【０００７】
本発明の一局面によれば、上記主たる技術的課題を達成する貼着補助具として、
家畜の乳頭口を保護するために家畜の乳頭に保護パッチを貼着するための貼着補助具にして、
基端部が相互に旋回自在に連結されている一対の操作片と、該一対の操作片の自由端部間に配設された弾性部材とを具備する、ことを特徴とする貼着補助具が提供される。
【０００８】
好ましくは、該一対の操作片の開旋回角度を所定角度に制限する開旋回角度制限手段が該一対の操作片に付設されており、該弾性部材は中間部が該一対の操作片の該基端側に没入した凹形状に維持される。該弾性部材は、片端が該一対の操作片の片方の該自由端部に着脱自在に接続され他端が該一対の操作片の他方の該自由端部に着脱自在に接続されているのが好適である。該一対の操作片の各々の該自由端部は保護パッチの幅に対応した所定幅を有し、該弾性部材は該一対の操作片の各々の幅方向片側間を延在する片側細長帯状片と該一対の操作片の各々の幅方向他側間を延在する他側細長帯状片とを含むのが好ましい。該弾性部材は該片側細長帯状片の長手方向中間部と該他側細長帯状片の長手方向中間部とを接続している接続細長帯状片を含み、一体に形成されているのが好適である。好ましくは、該弾性部材の該接続細長片の片端は該片側細長帯状片を超えて幅方向に延出し且つ他端は該他側細長帯状片を超えて幅方向に延出しており、該接続細長片の該片端及び該他端には、該弾性部材上に載置される保護パッチの幅方向変位を阻止する変位阻止突起が形成されている。該弾性部材の該片側細長帯状片の両端及び該他側細長帯状片の両端には、幅方向両側に突出する被係止突起が形成されており、該一対の操作片の各々の該自由端部には該被係止突起の各々を着脱自在に受け入れる係止凹部が形成されているのが好適である。更に、該被係止突起各々の幅方向中央部には長手方向に突出する付加突起が形成されており、該係止凹部の各々の幅方向中央部には該付加突起が挿通される孔が形成されているのが望ましい。該一対の操作片が相互に幅方向に変位するのを阻止する幅方向制限手段が該一対の操作片に付設されているのが好ましい。該一対の操作片の各々の該自由端部の幅方向中央部には、長手方向に延在する逆円錐台筒形状の凹部が形成されているのが好適である。該一対の操作片の各々の自由端部の外面には幅方向中心を長手方向に延在する突条が配設されているのが望ましい。該一対の操作片の各々の該自由端部の内面幅方向両側には、該弾性部材上に載置される保護パッチが幅方向に変位するのを阻止すると共に該自由端部から突出するのを阻止する拘束突起が記載されているのが好ましい。該一対の操作片の各々は合成樹脂、殊に透明乃至半透明の合成樹脂から形成されており、弾性部材は合成樹脂シートから形成されているのが好都合である。
【０００９】
本発明の他の局面によれば、上記他の技術的課題を達成する保護パッチ貼着方法として、
弾性シート、該弾性シートの片面に積層された粘着層、及び該弾性シートの他面に剥離自在に積層された保護シートを含む、家畜の乳頭口を保護するための保護パッチを家畜の乳頭に貼着する保護パッチ貼着方法にして、
上述した形態の貼着補助具を準備する準備工程、
該貼着補助具の該弾性部材上に、該粘着層を上方に向けた状態で該保護パッチを載置する載置工程と、
該弾性部材上に載置されている該保護パッチの中央部を家畜の乳頭の先端に押し付け、次いで、該弾性部材の弾性偏倚作用に抗して該操作片の各々を該自由端が相互に接近する方向に旋回せしめ、該保護パッチを少なくとも部分的に家畜の乳頭の周囲に押し付けて貼着する貼着工程と、
該弾性部材の弾性偏倚作用によって該操作片の各々を該自由端が相互に離隔する方向に旋回せしめると共に該貼着補助具を家畜の乳頭に貼着されている該保護パッチから離隔する貼着補助具離隔工程と、
家畜の乳頭に貼着されている該保護パッチの該保護シートを該弾性シートから剥離する保護シート剥離工程と、
を含むことを特徴とする保護パッチ貼着方法が提供される。
【発明の効果】
【００１０】
本発明の貼着補助具を使用して、本発明の保護パッチ貼着方法を遂行すれば、容易且つ迅速に家畜の乳頭における乳頭口を含む領域に保護パッチを所要とおりに貼着することができる。
【図面の簡単な説明】
【００１１】
【図１】本発明に従って構成された貼着補助具の好適実施形態を示す斜面図。
【図２】図１に示す貼着補助具の他の方向から見た斜面図。
【図３】図１に示す貼着補助具の一対の操作片の一方を示す平面図。
【図４】図１に示す貼着補助具の一対の操作片の他方を示す平面図。
【図５】図１に示す貼着補助具の一対の操作片を連結するための締結具を示す分解斜面図。
【図６】図１に示す貼着補助具の弾性部材を示す平面図。
【図７】保護パッチの典型例を示す斜面図。
【図８】図７に示す保護パッチの断面図。
【図９】図１に示す貼着補助具を使用して家畜の乳頭口に保護パッチを貼着する方法における載置工程を示す斜面図。
【図１０】図１に示す貼着補助具を使用して家畜の乳頭口に保護パッチを貼着する方法における貼着工程を示す斜面図。
【図１１】図１に示す貼着補助具を使用して家畜の乳頭口に保護パッチを貼着する方法における貼着補助具離隔工程を示す斜面図。
【図１２】図１に示す貼着補助具を使用して家畜の乳頭口に保護パッチを貼着する方法における保護シート剥離工程を示す斜面図。
【発明を実施するための形態】
【００１２】
以下、添付図面を参照して、本発明の貼着補助具の好適実施形態について詳細に説明し、更に上記好適実施形態を使用して家畜の乳頭に保護パッチを貼着する本発明の保護パッチ貼着方法の好適実施形態について詳細に説明する。
【００１３】
図１及び図２には、本発明に従って構成された貼着補助具の好適実施形態が図示されている。全体を番号２で示す貼着補助具は、一対の操作片４ａ及び４ｂと弾性部材６とを具備している。
【００１４】
上記一対の操作片４ａおよび４ｂは、特に制限されることなく木片、紙、金属或いは合成樹脂等から形成することができるが、射出成形又は３Ｄプリンターによるプリント成形等によって容易に形成することができる点から、合成樹脂から形成するのが好ましい。特に好適な合成樹脂としては、ポリオレフィン樹脂、塩化ビニル樹脂、ポリエステル樹脂、ナイロン樹脂、ＡＢＳ樹脂（アクリロニトリルブタジエンスチレン）を挙げることができる。更に、後述するとおりの保護パッチ貼着方法を遂行する際の操作性の点から、一対の操作片４ａ及び４ｂは透明乃至半透明であるのが望ましい。図１及び図２と共に図３及び図４を参照して説明すると、一対の操作片４ａ及び４ｂの各々は、中間部８ａ及び８ｂ、中間部８ａ及び８ｂの下端から突出する基端部１０ａ及び１０ｂ、並びに中間部８ａ及び８ｂの上端から上方に延出する自由端部１２ａ及び１２ｂを有する。図示の実施形態においては、一対の操作片４ａ及び４ｂの中間部８ａ及び８ｂは平板状であり、逆円錐台形状の下部と両側縁が幅方向外側に向かって円弧状に延びる上部とから構成されている。一方の操作片４ａの中間部８ａの下部内面（図３に図示する面）には幅方向に間隔をおいて突出する一対の突出壁１４ａが形成されており、他方の操作片４ｂの中間８ｂの下部内面（図４に図示する面）には１個の突出壁１４ｂが形成されている。後に更に言及するとおり、突出壁１４ａと突出壁１４ｂとは共同して、連結された一対の操作片４ａ及び４ｂが相合に幅方向に変位するのを阻止する幅方向変位制限手段を構成する。一対の操作片４ａ及び４ｂの中間部８ａ及び８ｂの対応部位には、適宜のストラップ（図示していない）を挿通するための円形孔１５ａ及び１５ｂが形成されている。基端部１０ａ及び１０ｂは、中間部８ａ及び８ｂの延在方向に対して垂直な方向に突出している。基端部１０ａ及び１０ｂの各々は、中間部８ａ及び８ｂの幅方向（図３及び図４において上下方向）中心に対して片側（図３及び図４において下側）に変位して突出しており、図１及び図２に示すとおりに連結されると基端部１０ａと基端部１０ｂとは相合に重なり合う（基端部１０ａと基端部１０ｂとの相互連結様式について後に言及する）。基端部１０ａ及び基端部１０ｂの各々はリング形状であり、基端部１０ａには円弧状切欠１６ａが形成されている。基端部１０ｂには円弧状突起１６ｂが形成されている。切欠１６ａの長さは突起１６ｂの長さより所定長さだけ大きく、操作片４ａと操作片４ｂとの開旋回角度は突起１６ｂが切欠１６ａの一端に当接する角度位置に制限される（切欠１６ａと突起１６ｂとは回旋回角度制限手段を構成する）。図示の実施形態においては操作片４ａと操作片４ｂとがなす最少角度は突起１６ｂが切欠１６ａの他端に当接することによって規定されている。
【００１５】
一対の操作片４ａ及び４ｂの自由端部１２ａ及び１２ｂは略矩形状であり、その幅方向寸法は後述する保護パッチの幅に対応、更に詳しくは後述する保護パッチの幅よりも幾分大きく設定されている。自由端部１２ａ及び１２ｂの幅方向中央部には逆円錐台形状の凹部１８ａ及び１８ｂが形成されている。凹部１８ａ及び１８ｂの直下方には矩形状の開口２０ａ及び２０ｂが形成されている。凹部１８ａ及び１８ｂの両側において、自由端部１２ａ及び１２ｂの内面（図３及び図４に図示している面）には自由端に沿って延びる直立壁２２ａ及び２２ｂ、凹部１８ａ及び１８ｂに沿って延びる直立壁２４ａ及び２４ｂ並びに側縁に沿って延びる直立壁２６ａ及び２６ｂが形成されている。自由端部１２ａ及び１２ｂの内面には、更に、直立壁２４ａ及び２４ｂと直立壁２６ａ及び２６ｂとの間に配設され相合に平行に延在する一対の直立規制壁２８ａ及び２８ｂが形成されている。そして、一対の直立規制壁２８ａ及び２８ｂ間において、自由端部１２ａ及び１２ｂの内面には、上下方向（図３及び及び図４において左右方向）に細長く延びる矩形凹部３０ａ及び３０ｂが形成されている。更に、矩形凹部３０ａ及び３０ｂの上端から幅方向両側に延出する細長い係止凹部３２ａ及び３２ｂが形成され、かかる係止凹部３２ａ及び３２ｂの幅方向中央部には孔３１ａ及び３１ｂが形成されている。自由端部１２ａ及び１２ｂの外面には、図１及び図２から理解されるとおり、上記凹部１８ａ及び１８ｂに対応した突出部が存在し、かかる突出部の幅方向中心、従って自由端部１２ａ及び１２ｂの幅方向中心には、図２を参照することによって明確に理解される如く、長手方向（図３及び図４において左右方向）に直線状に延在する突条３３ａ及び３３ｂが形成されている。上記直立壁２２ａ及び２２ｂの各々には拘束突起３４ａ及び３４ｂが形成され、上記直立壁２６ａ及び２６ｂの各々には拘束突起３６ａ及び３６ｂが形成されている。
【００１６】
上述したとおりの一対の操作片４ａ及び４ｂは、中間部８ａ及び８ｂの下部内面に形成されている突出壁１４ａ及び１４ｂの配設、基端部１０ａ及び１０ｂ並びに自由端部１２ａ及び１２ｂの直立壁２２ａ及び２２ｂの形状を除いて、相互に面対称をなしている。
【００１７】
図５には、操作片４ａの基端部１０ａと操作片４ｂの基端部１０ｂとを相合に旋回自在に連結する連結具３８及び４０が図示されている。連結具３８及び４０はポリオキシメチレン或いはポリプロピレン及びポリエチレン等のポリオレフィンの如き適宜の合成樹脂から形成することができる。連結具３８は略円板形状の頭部４２と略円筒形状の軸部４４とを有する。軸部４４には１８０度の間隔おいて長手方向に延びる一対のスリット４１が形成されており、軸部４４の先端には半径方向外方に突出した鍔４５が形成されている。連結具４０はリング形状である。図１及び図２を参照することによって理解されるとおり、連結具３８の軸部４４を操作片４ａの基端部１０ａ及び操作片４ｂの基端部１０ｂに挿通し、連結具３８の軸部４４の突出端部に連結具４０を嵌合することによって、操作片４ａの基端部１０ａと操作片４ｂの基端部１０ｂとが相合に旋回自在に装着される。軸部４４の先端に形成されている鍔４５は連結具４０を超えて突出し、連結具３８の軸部４４が連結具４０を挿通した状態にロックする。基端部１０ａ及び１０ｂの内径、連結具３８の軸部４４の外径並びに連結具４０の内径は実質上同一、或いは連結具３８の軸部４４の外径が基端部１０ａ及び１０ｂの内径並びに連結具４０の内径よりも若干大きいのが好都合である。
【００１８】
図１及び図２と共に図６を参照して説明を続けると、ポリオキシメチレン或いはポリプロピレン及びポリエチレン等のポリオレフィン樹脂の如き適宜の合成樹脂シート或いはバネ鋼薄板の如き適宜の金属薄板から形成することができる、図示の弾性部材６は、間隔をおいて平行に延在する片側細長帯状片４６−１及び他側細長帯状片４６−２並びに片側細長帯状片４６−１の長手方向中間部と他側細長帯状片４６−２の長手方向中間部を接続している接続細長帯状片４８を有する。片側細長帯状片４６−１の両端部及び他側細帯状片４６−２の両端部には幅方向両側に突出する被係止突起５０が形成され、そして更に被係止突起５０の各々の幅方向中央部には長手方向に突出する付加突起５１が形成されている。接続細長帯状片４８の片端は片側細長帯状片４６−１を超えて幅方向に延出し、接続細長帯状片４８の他端は多側細長帯状片４６−２を超えて幅方向に延出している。そして、接続細長帯状片４８の両端には変位阻止突起５２が形成されている。変位阻止突起５２間の長さは、操作片４ａの自由端部１２ａの両側縁に配設されている拘束突起３６ａ間の長さ及び操作片４ｂの自由端部１２ｂの両側縁に配設されている拘束突起３６ｂ間の長さに対応している。
【００１９】
上述したとおりの弾性部材６は、一対の操作片４ａ及び４ｂの自由端部１２ａ及び１２ｂ間に配設される。更に詳述すると、図１及び図２を参照することによって理解される如く、接続細長帯状片４８に両端に形成されている変位阻止突起５２を一対の操作片４ａ及び４ｂの自由端側（図１及び図２において上方）に向けた状態で、弾性部材６の片側細長帯状片４６−１の両端に形成されている被係止突起５０が、夫々、一対の操作片４ａ及び４ｂの自由端部１２ａ及び１２ｂの内面片側に形成されている上記係止凹部３２ａ及び３２ｂ内に着脱自在に受け入れられ、被係止突起５０に形成されている付加突起５１が、夫々、係止凹部３２ａ及び３２ｂに形成されている孔３１ａ及び３１ｂに挿通され、そして又、他側細長帯状片４６−２の両端に形成されている被係止突起５０が、夫々、一対の操作片４ａ及び４ｂの自由端部１２ａ及び１２ｂの内面他側に形成されている上記係止凹部３２ａ及び３２ｂ内に受け入れられ、被係止突起５０に形成されている付加突起５１が、夫々、係止凹部３２ａ及び３２ｂに形成されている孔３１ａ及び３１ｂに挿通される。かくして、片側細長帯状片４６−１は一対の操作片４ａ及び４ｂの片側間を延在し、他側細長帯状片４６−２は一対の操作片４ａ及び４ｂの他側間を延在する。一対の操作片４ａ及び４ｂの自由端が最も離間する状態（図１及び図２に図示する状態）において、弾性部材６の長さは一対の操作片４ａ及び４ｂの自由端間の長さよりも幾分大きく設定されており、弾性部材６はその長手方向中間部が一対の操作片４ａ及び４ｂの基端部１０ａ及び１０ｂに向かって没入した凹形状に維持されて一対の操作片４ａ及び４ｂに組み込まれる。従って、一対の操作片４ａ及び４ｂは、弾性部材６の弾性変位作用によって自由端間が最も離間される状態、換言すれば操作片４ａの基端部１０ａに形成されている切欠１６ａの一端に操作片４ｂの基端部１０ｂに形成されている突起１６ｂが当接する状態、に弾性的に保持される。かかる状態において、操作片４ａと操作片４ｂとがなす角度θは２０乃至９０度程度であるのが望ましい。一対の操作片４ａ及び４ｂの自由端部１２ａ及び１２ｂの内面における幅方向両側に形成されている上記矩形凹部３２ａ及び３２ｂは、弾性部材６の片側細長帯状片４６ａ及び他側細長帯状片４６ｂに対応して位置せしめられている。
【００２０】
図示の実施形態においては、一対の操作片４ａ及び４ｂに弾性部材６を着脱自在に装着しているが、所望ならば、接着剤の如き適宜の固定手段によって一対の操作片４ａ及び４ｂの所要位置に弾性部材６を固定することもできる。しかしながら、図示の実施形態の如く、一対の操作片４ａ及び４ｂに弾性部材６を充分容易に着脱自在に装着することができる形態が、貼着補助具２の保管及び搬送の際には、一対の操作片４ａ及び４ｂから弾性部材６を分離し、一対の操作片４ａ及び４ｂをそれらの自由端が最も接近した状態（即ち操作片４ａの基端部１０ａに形成されている切欠１６ａの上記他端に操作片４ｂの基端部１０ｂに形成されている突起１６ｂが当接する状態）にせしめ、コンパクトな形態にせしめることができる点、で好都合である。
【００２１】
図７及び図８には保護パッチの典型例が図示されている。全体を番号５４で示す図示の保護パッチは弾性シート５６を含んでいる。この弾性シート５６の片面即ち表面上には粘着層５８が配設されており、他面即ち裏面上には保護シート６０が剥離自在に積層されている。更に、粘着層５８は剥離紙６２によって覆われている。図示の保護パッチ５４においては弾性シート５６は矩形状であるが、例えば長手方向中央部の両側部に略円形状の切欠が形成された形状等の他の適宜の形状の弾性シートを使用することもできる。保護パッチ５４自体の詳細については、上記特許文献１の記載を引用し、本明細書においては説明を省略する。
【００２２】
上記保護パッチ５４は、家畜の乳頭口を覆うと共に乳頭側面に貼着されて乳頭の所要位置に確実に保持される寸法であることが望まれる。家畜の乳頭の大きさはそれぞれの個体によって異なるため、保護パッチ５４の寸法は適用する家畜の乳頭の大きさに応じて適宜に設定することができる。而して、保護パッチ５４の寸法（図示の場合は保護シート６０が他の構成要素よりも大きく、保護パッチ５４の寸法は保護シート６０の寸法によって規定される）がＡ×Ｂｍｍ（図７）である場合、長さＡは貼着補助具２における弾性部材６の延在長さに対応し、幅Ｂは弾性部材６に接続細長帯状片４８の長さ（更に詳しくは接続細長帯状片４８の両端に形成されている変位阻止突起５２間の長さ）に対応するのが好都合である。一般的には、長さＡは５０乃至１５０ｍｍ程度で幅Ｂは３０乃至１３０ｍｍ程度であるのが好適である。
【００２３】
次に、上述したとおりの貼着補助具２を使用して家畜の乳頭口に保護パッチを貼着する方法について説明する。
【００２４】
最初に、上述したとおりの貼着補助具２を準備する（貼着補助具準備工程）。そして、図９に図示するとおり、剥離紙６２を剥離して粘着層５８を露呈せしめた保護パッチ５４を弾性部材６に略沿って延在する状態で弾性部材６上に載置する（載置工程）。即ち、保護シート６０の片端が操作片４ａの自由端部１２ａに配設されている拘束突起３４ａに当接せしめ、保護シート６０の他端が操作片４ｂの自由端部１２ｂに配設されている拘束突起３４ｂに当接せしめ、保護パッチ５４の全体が下方に向かって没入された凹状に維持されるように設定する。保護パッチ５４の幅方向位置は、操作片４ａの自由端部１２ａの両側縁に配設されている拘束突起３６ａ、操作片４ｂの自由端部１２ｂの両側縁に配設されている拘束突起３６ｂ並びに弾性部材６の接続細長帯状片４８の両端に形成されている変位阻止突起５２によって規制される。しかる後に、図１０に図示する如く、保護パッチ５４を家畜の乳頭６４の先端部、即ち乳頭口６６を含む領域、に押し付け、次いで弾性部材６の弾性偏倚作用に抗して操作片４ａ及び４ｂを自由端が相合に接近する方向に旋回せしめ、かくして保護パッチ５４を少なくとも部分的に家畜の乳頭６４の周囲に貼着する(貼着工程)。この際には、操作片４ａの自由端部１２ａに形成されている凹部１８ａと操作片４ｂの自由端部１２ｂに形成されている凹部１８ｂとの間に家畜の乳頭６４が挟み込まれる。かような操作において、一対の操作片４ａ及び４ｂが透明乃至半透明合成樹脂から形成され、そしてまた一対の操作片４ａ及び４ｂの自由端部の外面の幅方向中心に突条３３a及び３３ｂが形成されていると、保護パッチ５４が載置された貼着補助具２を家畜の乳頭６４に対して充分容易に所要とおりに位置付けることができる。次に、図１１に図示する如く、弾性部材６の弾性偏倚作用によって操作片４ａと操作片４ｂとを自由端が相互の離隔する方向に旋回せしめると共に家畜の乳頭６４に貼着されている保護パッチ５４から離隔する（貼着補助具離隔工程）。次いで、図１２に図示する如く、家畜の乳頭６４に貼着されている保護パッチ５４の保護シート６０を弾性シート５６から剥離する（保護シート剥離工程）。しかる後に、貼着されている弾性シート５６を介して家畜の乳頭６４を手で包み込み、かくして乳頭６４を保護パッチ５４の柄弾性シート５６で包み込む。
【符号の説明】
【００２５】
２：貼着補助具
４ａ：操作片
４ｂ：操作片
８ａ：操作片の中間部
８ｂ：操作片の中間部
１０ａ：操作片の基端部
１０ｂ：操作片の基端部
１２ａ：操作片の自由端部
１２ｂ：操作片の自由端部
１４ａ：突出壁（幅方向変位制限手段）
１４ｂ：突出壁（幅方向変位制限手段）
１６ａ：切欠（開旋回角度制限手段）
１６ｂ：突起（開旋回角度制限手段）
１８ａ：凹部
１８ｂ：凹部
３１ａ：孔
３１ｂ：孔
３２ａ：係止凹部
３２ｂ：係止凹部
３４ａ：拘束突起
３４ｂ：拘束突起
３６ａ：拘束突起
３６ｂ：拘束突起
４６−１：弾性部材の片側細長帯状部
４６−２：弾性部材の他側細長帯状部
４８：弾性部材の接続細長帯状部
５０：被係止突起
５１：付加突起
５２：変位阻止突起
５４：保護パッチ
５６：保護パッチの弾性シート
５８：粘着層
６０：保護シート
６２：剥離紙
６４：家畜の乳頭
【図１】
2020130012.tif 000003
【図２】
2020130012.tif 000004
【図３】
2020130012.tif 000005
【図４】
2020130012.tif 000006
【図５】
2020130012.tif 000007
【図６】
2020130012.tif 000008
【図７】
2020130012.tif 000009
【図８】
2020130012.tif 000010
【図９】
2020130012.tif 000011
【図１０】
2020130012.tif 000012
【図１１】
2020130012.tif 000013
【図１２】
2020130012.tif 000014
【手続補正書】
【提出日】令和1年6月17日(2019.6.17)
【手続補正１】
【補正対象書類名】特許請求の範囲
【補正対象項目名】請求項８
【補正方法】変更
【補正の内容】
【請求項８】
該被係止突起の各々の幅方向中央部には長手方向に突出する付加突起が形成されており、該係止凹部の各々の幅方向中央部には該付加突起が挿通される孔が形成されている、請求項７記載の貼着補助具。
【手続補正２】
【補正対象書類名】明細書
【補正対象項目名】０００８
【補正方法】変更
【補正の内容】
【０００８】
好ましくは、該一対の操作片の開旋回角度を所定角度に制限する開旋回角度制限手段が該一対の操作片に付設されており、該弾性部材は中間部が該一対の操作片の該基端側に没入した凹形状に維持される。該弾性部材は、片端が該一対の操作片の片方の該自由端部に着脱自在に接続され他端が該一対の操作片の他方の該自由端部に着脱自在に接続されているのが好適である。該一対の操作片の各々の該自由端部は保護パッチの幅に対応した所定幅を有し、該弾性部材は該一対の操作片の各々の幅方向片側間を延在する片側細長帯状片と該一対の操作片の各々の幅方向他側間を延在する他側細長帯状片とを含むのが好ましい。該弾性部材は該片側細長帯状片の長手方向中間部と該他側細長帯状片の長手方向中間部とを接続している接続細長帯状片を含み、一体に形成されているのが好適である。好ましくは、該弾性部材の該接続細長片の片端は該片側細長帯状片を超えて幅方向に延出し且つ他端は該他側細長帯状片を超えて幅方向に延出しており、該接続細長片の該片端及び該他端には、該弾性部材上に載置される保護パッチの幅方向変位を阻止する変位阻止突起が形成されている。該弾性部材の該片側細長帯状片の両端及び該他側細長帯状片の両端には、幅方向両側に突出する被係止突起が形成されており、該一対の操作片の各々の該自由端部には該被係止突起の各々を着脱自在に受け入れる係止凹部が形成されているのが好適である。更に、該被係止突起の各々の幅方向中央部には長手方向に突出する付加突起が形成されており、該係止凹部の各々の幅方向中央部には該付加突起が挿通される孔が形成されているのが望ましい。該一対の操作片が相互に幅方向に変位するのを阻止する幅方向制限手段が該一対の操作片に付設されているのが好ましい。該一対の操作片の各々の該自由端部の幅方向中央部には、長手方向に延在する逆円錐台筒形状の凹部が形成されているのが好適である。該一対の操作片の各々の自由端部の外面には幅方向中心を長手方向に延在する突条が配設されているのが望ましい。該一対の操作片の各々の該自由端部の内面幅方向両側には、該弾性部材上に載置される保護パッチが幅方向に変位するのを阻止すると共に該自由端部から突出するのを阻止する拘束突起が記載されているのが好ましい。該一対の操作片の各々は合成樹脂、殊に透明乃至半透明の合成樹脂から形成されており、弾性部材は合成樹脂シートから形成されているのが好都合である。